(57)【要約】【課題】サイズの小さな接合金物が用いられたとしても、梁部同士の十分な接合強度を確保することである。【解決手段】第一梁部２０と第二梁部２１とを接合する接合金物２２は、第一溝２０ｃと第二溝２１ｃに跨って差し込まれ、第一梁部２０及び第二梁部２１に対して結合されたフィン部２３と、フィン部２３が溶接固定されるとともに、屈曲部１０ａ，１１ａの入隅側に配置されて第一梁部２０と第二梁部２１に固定されたベース部２４と、フィン部２３がベース部２４に溶接されたことで形成されたビード２８と、を有しており、ビード２８は、第一梁部２０及び第二梁部２１に干渉しない位置に設けられている。【選択図】図７
2020111932.tif 000002
【特許請求の範囲】
【請求項１】
屋根勾配に沿った傾斜角に配置される第一梁部と、前記第一梁部の長さ方向一端部に接合され、前記第一梁部とは異なる角度で配置される第二梁部と、前記第一梁部と前記第二梁部とを接合する接合金物と、を備え、前記接合金物によって接合された箇所が屈曲部とされたベント梁において、
前記第一梁部における前記屈曲部側の端面に第一溝が形成されており、
前記第二梁部における前記屈曲部側の端面に、前記第一溝に対向して第二溝が形成されており、
前記接合金物は、
前記第一溝と前記第二溝に跨って差し込まれ、前記第一梁部及び前記第二梁部に対して結合されたフィン部と、
前記フィン部が溶接固定されるとともに、前記屈曲部の入隅側に配置されて前記第一梁部と前記第二梁部に固定されたベース部と、
前記フィン部が前記ベース部に溶接されたことで形成されたビードと、
を有しており、
前記ベース部は、
前記第一梁部と前記第二梁部に跨って配置されるとともに前記フィン部が固定された上板部と、
前記上板部の長さ方向両端部に当該上板部に対して傾斜するようにして一体形成されるとともに、前記第一梁部の表面と前記第二梁部の表面のそれぞれに固定される双方の傾斜板と、
を備えており、
前記ビードは、前記第一梁部及び前記第二梁部に干渉しない位置に設けられていることを特徴とするベント梁。
【請求項２】
請求項１に記載のベント梁において、
前記ビードは、前記双方の傾斜板における前記第一梁部側の面及び前記第二梁部側の面の延長線上に配置されていないことを特徴とするベント梁。
【請求項３】
請求項１又は２に記載のベント梁において、
前記フィン部における前記上板部の長さ方向に沿う方向の幅寸法は、前記ベース部における前記上板部の長さ寸法よりも短く設定されていることを特徴とするベント梁。
【請求項４】
請求項１〜３のいずれか一項に記載のベント梁において、
前記接合金物は、
前記双方の傾斜板に架け渡されて溶接固定されたスチフナ部を有することを特徴とするベント梁。
【請求項５】
請求項４に記載のベント梁において、
前記フィン部と前記スチフナ部とが一体形成されており、
前記ベース部における前記上板部には、前記フィン部を通すためのスリットが形成されていることを特徴とするベント梁。
【請求項６】
請求項１〜５のいずれか一項に記載のベント梁が組み込まれた屋根の小屋組構造であって、
前記ベント梁に直交する方向に配置された直交梁を備えており、
前記ベント梁における前記屈曲部には、前記第一梁部又は前記第二梁部と、前記接合金物における前記フィン部と、を貫通する貫通孔が形成されており、
前記直交梁は、当該直交梁の長さ方向側端面が前記ベント梁における前記屈曲部に接するように配置され、前記貫通孔に通された固定具によって前記ベント梁に固定されていることを特徴とする屋根の小屋組構造。
【発明の詳細な説明】
【技術分野】
【０００１】
本発明は、ベント梁及び屋根の小屋組構造に関する。
【背景技術】
【０００２】
屋根の小屋組に用いられるベント梁の一例として、特許文献１に記載のものが知られている。このベント梁は、第１屋根面の勾配に対して直交する方向に沿って伸長する水平梁部と、この水平梁部の一端に所定角度をもって予め接合され、第２屋根面の勾配に沿って傾斜する傾斜梁部とを有しており、水平梁部と傾斜梁部は、各々の向かい合う端面に形成された溝に挿入される接合板によって接合されている。また、接合板は、水平梁部及び傾斜梁部の一側面から他側面に止着部材が貫通することによって止着固定されている。
【先行技術文献】
【特許文献】
【０００３】
【特許文献１】特開２００７−２１１５０９号公報
【発明の概要】
【発明が解決しようとする課題】
【０００４】
ところで、接合板による水平梁部と傾斜梁部との接合強度を向上させるために、溝の深さを深く形成するとともに水平梁部側と傾斜梁部側にサイズの大きい接合板を用い、接合板と水平梁部及び傾斜梁部との接触面積を広くすることが考えられる。すなわち、接触面積が広くなると、止着部材による固定箇所が増えるため、接合板による梁部同士の接合強度を向上させることができる。
ところが、溝の深さを深く形成するには、切り込み深さの深い丸鋸を用意したり、場合によっては手作業で加工したりする必要があり、手間やコストがかかる。そのため、溝の深さが深くなくても十分な接合強度を確保できるような技術の開発が求められていた。
【０００５】
本発明は上記事情に鑑みてなされたものであり、その課題は、サイズの小さな接合金物が用いられたとしても、梁部同士の十分な接合強度を確保することである。
【課題を解決するための手段】
【０００６】
請求項１に記載の発明は、例えば図１〜図１４に示すように、屋根勾配に沿った傾斜角に配置される第一梁部２０と、前記第一梁部２０の長さ方向一端部に接合され、前記第一梁部２０とは異なる角度で配置される第二梁部２１と、前記第一梁部２０と前記第二梁部２１とを接合する接合金物２２と、を備え、前記接合金物２２によって接合された箇所が屈曲部１０ａ，１１ａとされたベント梁１０，１１において、
前記第一梁部２０における前記屈曲部１０ａ，１１ａ側の端面に第一溝２０ｃが形成されており、
前記第二梁部２１における前記屈曲部１０ａ，１１ａ側の端面に、前記第一溝２０ｃに対向して第二溝２１ｃが形成されており、
前記接合金物２２は、
前記第一溝２０ｃと前記第二溝２１ｃに跨って差し込まれ、前記第一梁部２０及び前記第二梁部２１に対して結合されたフィン部２３と、
前記フィン部２３が溶接固定されるとともに、前記屈曲部１０ａ，１１ａの入隅側に配置されて前記第一梁部２０と前記第二梁部２１に固定されたベース部２４と、
前記フィン部２３が前記ベース部２４に溶接されたことで形成されたビード２８と、
を有しており、
前記ベース部２４は、
前記第一梁部２０と前記第二梁部２１に跨って配置されるとともに前記フィン部２３が固定された上板部２４ａと、
前記上板部２４ａの長さ方向両端部に当該上板部２４ａに対して傾斜するようにして一体形成されるとともに、前記第一梁部２０の表面と前記第二梁部２１の表面のそれぞれに固定される双方の傾斜板２４ｂと、
を備えており、
前記ビード２８は、前記第一梁部２０及び前記第二梁部２１に干渉しない位置に設けられていることを特徴とする。
【０００７】
請求項１に記載の発明によれば、第一溝２０ｃと第二溝２１ｃに跨って差し込まれるフィン部２３が、屈曲部１０ａの入隅側において第一梁部２０と第二梁部２１に跨って配置されるベース部２４における上板部２４ａに固定されており、ベース部２４における双方の傾斜板２４ｂは、第一梁部２０の表面と第二梁部２１の表面のそれぞれに固定されているので、フィン部２３における上板部２４ａの長さ方向に沿う方向の幅寸法を、少なくとも、ベース部２４における上板部２４ａの長さ寸法の範囲内に収めることができる。すなわち、フィン部２３の幅寸法を、ベース部２４における上板部２４ａの長さ寸法よりも長くならないように抑えることができる。これにより、第一梁部２０における第一溝２０ｃと、第二梁部２１における第二溝２１ｃの深さ寸法を抑えることができるので、切り込み深さの深い丸鋸を用意したり、手作業で加工したりする必要がなく、手間やコストを軽減できる。
さらに、ビード２８は、第一梁部２０及び第二梁部２１に干渉しない位置に設けられているので、フィン部２３を第一溝２０ｃ及び第二溝２１ｃに差し込んだときや、ベース部２４における双方の傾斜板２４ｂを第一梁部２０の表面と第二梁部２１の表面のそれぞれに固定するときの障害とならない。すなわち、接合金物２２を、第一梁部２０と第二梁部２１とを接合するための位置に正確に配置することができるので、フィン部２３を第一梁部２０及び第二梁部２１に対して確実に結合でき、ベース部２４を屈曲部１０ａ，１１ａの入隅側に配置して第一梁部２０と第二梁部２１に確実に固定することができる。これにより、フィン部２３の幅寸法が短く設定されていても、第一梁部２０と第二梁部２１とを接合するときの十分な接合強度を確保することができる。
【０００８】
請求項２に記載の発明は、例えば図７，図８に示すように、請求項１に記載のベント梁１０，１１において、
前記ビード２８は、前記双方の傾斜板２４ｂにおける前記第一梁部２０側の面及び前記第二梁部２１側の面の延長線上に配置されていないことを特徴とする。
【０００９】
請求項２に記載の発明によれば、ビード２８は、双方の傾斜板２４ｂにおける第一梁部２０側の面及び第二梁部２１側の面の延長線上に配置されていないので、接合金物２２を、第一梁部２０と第二梁部２１とを接合するための位置に配置したときに、ビード２８が、第一梁部２０及び第二梁部２１に干渉しない状態となる。そのため、接合金物２２を、第一梁部２０と第二梁部２１とを接合するための位置に正確に配置することが可能となる。
【００１０】
請求項３に記載の発明は、例えば図８に示すように、請求項１又は２に記載のベント梁１０，１１において、
前記フィン部２３における前記上板部２４ａの長さ方向に沿う方向の幅寸法は、前記ベース部２４における前記上板部２４ａの長さ寸法よりも短く設定されていることを特徴とする。
【００１１】
請求項３に記載の発明によれば、フィン部２３における上板部２４ａの長さ方向に沿う方向の幅寸法は、ベース部２４における上板部２４ａの長さ寸法よりも短く設定されているので、フィン部２３の幅寸法をより確実に抑えることができる。これにより、第一梁部２０における第一溝２０ｃと、第二梁部２１における第二溝２１ｃの深さ寸法を抑えることができるので、切り込み深さの深い丸鋸を用意したり、手作業で加工したりする必要がなく、手間やコストを軽減できる。
【００１２】
請求項４に記載の発明は、例えば図１〜図８，図１２〜図１４に示すように、請求項１〜３のいずれか一項に記載のベント梁において、
前記接合金物２２は、
前記双方の傾斜板２４ｂに架け渡されて溶接固定されたスチフナ部２５を有することを特徴とする。
【００１３】
請求項４に記載の発明によれば、接合金物２２は、双方の傾斜板２４ｂに架け渡されて溶接固定されたスチフナ部２５を有するので、接合金物２２の剛性を向上できる。これにより、ベント梁１０，１１自体の剛性も向上させることができる。
【００１４】
請求項５に記載の発明は、例えば図１３に示すように、請求項４に記載のベント梁１０，１１において、
前記フィン部２３（２３Ｂ）と前記スチフナ部２５（２５Ｂ）とが一体形成されており、
前記ベース部２４（２４Ｂ）における前記上板部２４ａには、前記フィン部２３（２３Ｂ）を通すためのスリット２４ｄが形成されていることを特徴とする。
【００１５】
請求項５に記載の発明によれば、ベース部２４（２４Ｂ）における上板部２４ａに、スチフナ部２５（２５Ｂ）と一体形成されたフィン部２３（２３Ｂ）を通すためのスリット２４ｄが形成されているので、フィン部２３（２３Ｂ）をスリット２４ｄに通すことで、スチフナ部２５（２５Ｂ）を、双方の傾斜板２４ｂ間に架け渡すようにして設けることができる。これにより、接合金物２２を容易に製造することができる。
【００１６】
請求項６に記載の発明は、例えば図１〜図８，図１４に示すように、請求項１〜５のいずれか一項に記載のベント梁１０，１１が組み込まれた屋根の小屋組構造であって、
前記ベント梁１０に直交する方向に配置された直交梁１６を備えており、
前記ベント梁１０における前記屈曲部１０ａには、前記第一梁部２０又は前記第二梁部２１と、前記接合金物２２における前記フィン部２３と、を貫通する貫通孔２０ｅ，２３ｄが形成されており、
前記直交梁１６は、当該直交梁１６の長さ方向側端面が前記ベント梁１０における前記屈曲部１０ａに接するように配置され、前記貫通孔２０ｅ，２３ｄに通された固定具によって前記ベント梁１０に固定されていることを特徴とする。
【００１７】
請求項６に記載の発明によれば、直交梁１６は、当該直交梁１６の長さ方向側端面がベント梁１０における屈曲部１０ａに接するように配置され、貫通孔２０ｅ，２３ｄに通された固定具によってベント梁１０に固定されているので、接合金物２２の入った位置である屈曲部１０ａに対して直交梁１６を設けることができる。これにより、ベント梁１０，１１が組み込まれた屋根の小屋組構造を、ベント梁１０に直交する直交梁１６を含んだ強固な造りにすることができる。
【発明の効果】
【００１８】
本発明によれば、サイズの小さな接合金物が用いられたとしても、梁部同士の十分な接合強度を確保することができる。
【図面の簡単な説明】
【００１９】
【図１】建物躯体及びベント梁が組み込まれた小屋組構造を示す斜視図である。
【図２】ベント梁の屈曲部付近を示す側面図である。
【図３】ベント梁の屈曲部付近を示す斜視図である。
【図４】フィン部の構成を示す図である。
【図５】ベース部の構成を示す図である。
【図６】スチフナ部の構成を示す図である。
【図７】ベント梁の屈曲部付近を示し、ビードの状態を表した拡大側面図である。
【図８】ベント梁の屈曲部付近を示し、ビードの状態を表した拡大側面図である。
【図９】ベント梁の屈曲角度の例を示す図である。
【図１０】ベント梁の屈曲角度の例を示す図である。
【図１１】ベント梁の製造方法を示す図である。
【図１２】接合金物の変形例を示す図である。
【図１３】一体形成されたフィン部及びスチフナ部と、ベース部の変形例を示す図である。
【図１４】フィン部の変形例を示す図である。
【発明を実施するための形態】
【００２０】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２１】
図１は、軸組みで構築された建物躯体１上に、途中部分（屈曲部１０ａ，１１ａ）が屈曲して略「へ」の字状に形成されたベント梁１０，１１を用いた寄棟屋根用の小屋組構造が設けられた状態を示す斜視図である。
建物躯体１は、上方から見た場合に矩形状に形成されており、土台上又は胴差上に立設された複数の柱２ａと、これらの複数の柱２ａの間にそれぞれ立設された柱２ｂと、各柱２ａ，２ｂの上端部間に取り付けられた複数の短辺方向の敷桁３ａ、複数の長辺方向の敷桁３ｂ、短辺方向と長辺方向の敷桁３ａ，３ｂによって形成された隅角部に設けられた火打ち３ｃから構成されている。すなわち、間隔を空けて平行に配置された短辺方向の敷桁３ａと、これら短辺方向の敷桁３ａの端部間を連結する長辺方向の敷桁３ｂによって隅角部が複数箇所に形成され、これら複数箇所の隅角部に、火打ち３ｃが設けられており、水平構面が形成された状態となっている。
なお、間隔を空けて平行に配置された短辺方向の敷桁３ａ間には、下面に天井材が貼り付けられる複数の天井根太（図示省略）がそれぞれ架け渡されて設けられているものとする。天井根太に替えて、野縁が設けられるものとしてもよい。
【００２２】
建物躯体１上に形成された寄棟屋根用の小屋組構造について説明する。
本実施の形態では、建物躯体１の一方の短辺側においては、平行離間して配置された高さの低い二本の第一ベント梁１０と、これらベント梁１０間に配置された高さの高い一本の第二ベント梁１１との、合計三本のベント梁１０，１１が建物躯体１上に設けられている。また、建物躯体１の他方の短辺側においては、平行離間して配置された二本の第一ベント梁１０と、これらベント梁１０間に配置された一本の登り梁１２が建物躯体１上に設けられている。
【００２３】
中央側に配置された二本の短辺方向の敷桁３ａ上には、高さの低い二本の第一束４ａと、高さの高い一本の第二束４ｂがそれぞれ立設されており、建物躯体１の一方の妻側においては、第一及び第二ベント梁１０，１１が、一方の妻側に位置する短辺方向の敷桁３ａと各束４ａ，４ｂとの間に架け渡されて設けられている。建物躯体１の他方の妻側においては、第一ベント梁１０と登り梁１２が、他方の妻側に位置する短辺方向の敷桁３ａと各束４ａ，４ｂとの間に架け渡されて設けられている。
すなわち、複数の短辺方向の敷桁３ａ、複数の長辺方向の敷桁３ｂ、複数の火打ち３ｃ、中央側に配置された二本の短辺方向の敷桁３ａ上に立設された第一及び第二束４ａ，４ｂが、第一及び第二ベント梁１０，１１を支持するための支持構造体として機能している。なお、各束４ａ，４ｂは、つなぎ梁５によって連結されている。
【００２４】
建物躯体１の一方の妻側に配置された二本の第一ベント梁１０と、他方の妻側に配置された二本の第一ベント梁１０との間には、第一束４ａの上端部を介在させた状態で、それぞれ母屋１３が架け渡されて設けられている。また、第二ベント梁１１と登り梁１２との間には、第二束４ｂを介在させた状態で、棟木１４が架け渡されて設けられている。
これらで構成された小屋組の上に隅木、垂木を組み込み、更に野地板を重ねて配置して屋根の躯体を構成する。
【００２５】
また、建物躯体１の一方の妻側においては、二本の第一ベント梁１０における屈曲部１０ａと第二ベント梁１１との間に、短辺方向の敷桁３ａと平行する直交梁１６が架け渡されて設けられている。さらに、建物躯体１の他方の妻側においても、二本の第一ベント梁１０における屈曲部１０ａと登り梁１２との間に、短辺方向の敷桁３ａと平行する直交梁１６が架け渡されて設けられている。
そして、図示はしないが、小屋組構造には垂木が適宜組み込まれ、垂木の上に野地板が貼り付けられ、更にその上に屋根材が設けられて屋根が形成されるようになっている。
【００２６】
次に、第一ベント梁１０について説明する。
第一ベント梁１０は、図１〜図３に示すように、略「へ」の字状に形成された梁体であり、屋根勾配に対応する傾斜角で配設される下側の第一梁部２０と、この第一梁部２０の上端に接合されるとともに第一梁部２０とは異なる角度で配設される上側の第二梁部２１と、これら第一梁部２０と第二梁部２１とを接合する接合金物２２と、を備えている。
そして、第一梁部２０と第二梁部２１との接合箇所が屈曲部１０ａとされている。屈曲部１０ａは、上面側が外角をなし、下面側が内角をなすような屈曲形状となっている。接合金物２２は、この屈曲部１０ａの入隅側（下面側）から設けられる。
【００２７】
第一梁部２０は、屋根の傾斜方向に長尺な木質の梁材で形成されており、その一端面２０ａ（第二梁部２１側の端面を指す。）は上面に対して鋭角に傾斜している。第一梁部２０の一端面２０ａは、第二梁部２１の一端面２１ａ（後述する）に接合される面であり、第二梁部２１の一端面２１ａと同じ形状、面積に設定されている。
また、第一梁部２０の一端面２０ａが、第二梁部２１の一端面２１ａに接合されることによって、第一梁部２０は第二梁部２１に対して所定の角度（屋根勾配）で配置されるようになっている。
さらに、第一梁部２０の他端面２０ｂは、鉛直面となるように形成されており、短辺方向の敷桁３ａの側面に、図示しない接合金物を介して接合される。
【００２８】
第一梁部２０の一端面２０ａには二本の第一溝２０ｃが互いに平行にかつ所定間隔を空けて、さらに、第二梁部２１における第二溝２１ｃ（後述する）と対向して形成されている。この二本の第一溝２０ｃは平面視において、第一梁部２０の厚さ方向中心部を境として対称的に配置されている。また、第一溝２０ｃは第一梁部２０の上面から下面まで貫通して形成されている。
なお、第一溝２０ｃの溝深さ寸法は、第一梁部２０の上面から下面に亘って等しく設定されている。ここでいう溝深さとは、第一梁部２０の一端面２０ａから、第一梁部２０の長さ方向に沿う方向の切り込み深さを指している。
【００２９】
第一梁部２０の一端部（第二梁部２１側の端部を指す。）の側面には、当該第一梁部２０を厚さ方向に貫通し、ドリフトピン２７が通される貫通孔２０ｄが複数形成されている（本実施形態においては６個）。これら貫通孔２０ｄは、第一梁部２０の側面視において、当該第一梁部２０の一端面２０ａと第一溝２０ｃの底面（一端面２０ａに対する第一溝２０ｃの溝深さ方向奥側の面を指す。）との間の範囲内に形成されている。
さらに、第一梁部２０の一端部には、複数の貫通孔２０ｄとは異なる貫通孔２０ｅが複数形成されている。これら複数の貫通孔２０ｅは、上記の直交梁１６を屈曲部１０ａに固定するためのネジ等の固定具が通されるものであり、直交梁１６の端面における中央付近に対応するように配置されている。すなわち、貫通孔２０ｅは、直交梁１６用の貫通孔２０ｅである。
【００３０】
また、図示はしないが、第一梁部２０の他端面２０ｂには、短辺方向の敷桁３ａとの接合に用いられる接合金物の形状に対応する切欠部が適宜形成されるものとする。なお、第一梁部２０と短辺方向の敷桁３ａとの接合に用いられる接合金物は、例えば平面視略コ字状に形成されており、短辺方向の敷桁３ａの建物躯体１中央側の側面に固定されている。
【００３１】
第二梁部２１は、本実施形態においては左右に長尺な木質の梁材で形成されており、その一端面２１ａ（第一梁部２０側の端面を指す。）は上面に対して鋭角に傾斜している。この一端面２１ａは、第一梁部２０の一端面２０ａに接合される面であり、第一梁部２０の一端面２０ａと同じ形状、面積に設定されている。
また、第二梁部２１の一端面２１ａが、第一梁部２０の一端面２０ａに接合されることによって、第二梁部２１は第一梁部２０に対して所定の角度（水平）で配置されるようになっている。
さらに、第二梁部２１の他端面２１ｂは、鉛直面となるように形成されており、第一束４ａにおける上端部の側面に、図示しない接合金物を介して接合される。
【００３２】
第二梁部２１の一端面２１ａには、二本の第二溝２１ｃが互いに平行にかつ所定間隔を空けて、さらに、第一梁部２０における第一溝２０ｃと対向して形成されている。この二本の第二溝２１ｃは平面視において、第二梁部２１の厚さ方向中心部を境として対称的に配置されている。また、第二溝２１ｃは第二梁部２１の上面から下面まで貫通して形成されている。
なお、第二溝２１ｃの溝深さ寸法は、第二梁部２１の上面から下面に亘って等しく設定されている。ここでいう溝深さとは、第二梁部２１の一端面２１ａから、第二梁部２１の長さ方向に沿う方向の切り込み深さを指している。
【００３３】
第二梁部２１の一端部（第一梁部２０側の端部を指す。）の側面には、当該第二梁部２１を厚さ方向に貫通し、ドリフトピン２７が通される貫通孔２１ｄが複数形成されている（本実施形態においては６個）。これら貫通孔２１ｄは、第二梁部２１の側面視において、当該第二梁部２１の一端面２１ａと第二溝２１ｃの底面（一端面２１ａに対する第二溝２１ｃの溝深さ方向奥側の面を指す。）との間の範囲内に形成されている。
【００３４】
また、図示はしないが、第二梁部２１の他端面２１ｂには、第一束４ａとの接合に用いられる接合金物の形状に対応する切欠部が適宜形成されるものとする。なお、第二梁部２１と第一束４ａとの接合に用いられる接合金物は、例えば平面視略コ字状に形成されており、第一束４ａにおける上端部の側面に固定されている。
【００３５】
第一梁部２０と第二梁部２１とを接合する接合金物２２は、図２〜図６に示すように、フィン部２３と、ベース部２４と、スチフナ部２５と、を備えている。これら各部２３，２４，２５は、金属製の板を加工することにより構成されている。
【００３６】
フィン部２３は、第一梁部２０及び第二梁部２１における接合箇所の下側に設けられる底板２３ａと、底板２３ａの両側縁部から上方に突出する二枚のフィン２３ｂと、を有しており、これら底板２３ａとフィン２３ｂは一体形成されている。
二枚のフィン２３ｂは、第一梁部２０における二本の第一溝２０ｃと、第二梁部２１における二本の第二溝２１ｃにそれぞれ跨るようにして、屈曲部１０ａの入隅側から差し込まれる。また、二枚のフィン２３ｂのそれぞれには、第一梁部２０の一端部に形成された複数の貫通孔２０ｄと、第二梁部２１の一端部に形成された複数の貫通孔２１ｄに対応する位置に、ドリフトピン２７が通される複数の貫通孔２３ｃが形成されている（本実施形態においては一枚のフィン２３ｂにつき１２個ずつ）。すなわち、二枚のフィン２３ｂが、二本の第一溝２０ｃと二本の第二溝２１ｃに跨って差し込まれた際に、二枚のフィン２３ｂにおける複数の貫通孔２３ｃの位置に対し、第一梁部２０における複数の貫通孔２０ｄの位置と、第二梁部２１における複数の貫通孔２１ｄの位置が一致するような配置構成となっている。そして、ドリフトピン２７を、第一梁部２０及び第二梁部２１の一側面側から他側面側へと通すことができるようになっている。
さらに、二枚のフィン２３ｂのそれぞれには、上記の直交梁１６用の貫通孔２０ｅに対応する位置に、複数の貫通孔２３ｄが形成されている（本実施形態においては一枚のフィン２３ｂにつき２個ずつ）。
【００３７】
ベース部２４は、屈曲部１０ａの入隅側に配置されて第一梁部２０の下面と第二梁部２１の下面に固定されるものであり、上面にフィン部２３における底板２３ａが固定される上板部２４ａと、上板部２４ａの長さ方向両端部に一体形成された二枚の傾斜板２４ｂと、を有する。
上板部２４ａは、第一梁部２０の下面と第二梁部２１の下面とに跨って配置される。また、フィン部２３は、上板部２４ａの上面に対して溶接（所謂隅肉溶接）固定されているものとする。本実施形態においては、ベース部２４における上板部２４ａの長さ寸法と、フィン部２３における上板部２４ａの長さ方向に沿う方向の幅寸法は略等しく設定されている。
傾斜板２４ｂは、一方が第一梁部２０の下面に接するとともに当該第一梁部２０に固定され、他方が第二梁部２１の下面に接するとともに当該第二梁部２１に固定される。そして、これら傾斜板２４ｂには、第一梁部２０と第二梁部２１への固定に用いられる留付材２６が通される貫通孔２４ｃが複数形成されている（本実施形態においては片方の傾斜板２４ｂに６個ずつ）。
なお、留付材２６としては、例えばラグスクリューボルト（コーチスクリューボルト）が採用されている。
【００３８】
スチフナ部２５は、側面視において台形状に形成された板材であり、ベース部２４における上板部２４ａの下面に固定された上端面２５ａと、ベース部２４における傾斜板２４ｂの下面に固定された傾斜端面２５ｂと、を有する。
スチフナ部２５は、ベース部２４における下面側の幅方向中央（図５ｃ参照。平面視において長手方向と直交する方向）に位置し、ベース部２４の長さ方向に長尺に設定されている。
【００３９】
フィン部２３を、ベース部２４の上板部２４ａ上面に溶接固定するにあたっては、図７に示すように、フィン部２３がベース部２４に隅肉溶接されることによって形成されたビード２８（すなわち、溶接部）が、フィン部２３の底板２３ａよりも外側（上板部２４ａの短手方向）に、はみ出した状態となる。より詳細に説明すると、上板部２４ａに対する底板２３ａの溶接箇所は、底板２３ａの周縁部のうち長辺側の両縁部のみであり、しかも、底板２３ａの長さ方向両端部（角部）にはビード２８が達していない状態となっている。
このとき、ビード２８が、フィン部２３における底板２３ａの長さ方向両端部（上板部２４ａの長さ方向両端部）にまで達してしまうと、ビード２８が、第一梁部２０の下面と第二梁部２１の下面に接触してしまい、ベース部２４における双方の傾斜板２４ｂを、第一梁部２０の下面及び第二梁部２１の下面に接触させられない場合がある。
そこで、本実施形態におけるビード２８は、図７に示すように、ベース部２４における双方の傾斜板２４ｂにおける第一梁部２０側の面及び第二梁部２１側の面の延長線（第一梁部２０の下面及び第二梁部２１の下面）上に配置されない状態となっている。これにより、ビード２８が、底板２３ａよりも外側にはみ出しても、ベース部２４における双方の傾斜板２４ｂを、第一梁部２０の下面及び第二梁部２１の下面に接触させることが可能となる。そして、このように双方の傾斜板２４ｂが、第一梁部２０の下面及び第二梁部２１の下面に接すれば、フィン部２３における双方のフィン２３ｂも第一溝２０ｃ及び第二溝２１ｃに正確に差し込まれることとなり、ドリフトピン２７用の貫通孔２０ｄ，２１ｄ，２３ｃ同士の位置が一致し、直交梁１６用の貫通孔２０ｄ，２３ｄも一致することとなる。つまり、接合金物２２を正しい位置に設けることが可能となる。
なお、第一梁部２０の下面及び第二梁部２１の下面には、双方のフィン２３ｂ間に位置する底板２３ａ部分が収納される溝が形成されていてもよい。
【００４０】
なお、本実施形態においては、図７に示す例のように、ビード２８が底板２３ａの長さ方向両端部に達していない状態となるように、フィン部２３をベース部２４における上板部２４ａに溶接したが、これに限られるものではない。
すなわち、図８に示すように、フィン部２３における底板２３ａの長さは、ベース部２４における上板部２４ａの長さよりも短く設定され、しかも、ビード２８は、ベース部２４における双方の傾斜板２４ｂにおける第一梁部２０側の面及び第二梁部２１側の面の延長線上に配置されない状態となっていれば、ビード２８が、フィン部２３の底板２３ａよりも外側（特に、ベース部２４における双方の傾斜板２４ｂ側）に、はみ出した状態となっていても、接合金物２２を正しい位置に設けることが可能となる。
なお、図８に示す例におけるビード２８は、底板２３ａの角部の周囲も含めて底板２３ａの全周に亘って形成されているものとするが、底板２３ａの角部は溶接（回し溶接）されていなくてもよい。つまり、図８に示す例におけるビード２８は、底板２３ａの全周に亘る縁部のうち少なくとも角部を除く縁部に形成されているものとする。
【００４１】
以上のように構成された接合金物２２による第一梁部２０と第二梁部２１との接合には、ドリフトピン２７と留付材２６とが用いられる。
より詳細に説明すると、まず、フィン部２３（フィン２３ｂ）が、第一梁部２０における第一溝２０ｃに差し込まれるとともに、第二梁部２１における第二溝２１ｃに差し込まれる。そして、ドリフトピン２７が、第一梁部２０における複数の貫通孔２０ｄと、フィン部２３（フィン２３ｂ）における複数の貫通孔２３ｃに通貫するように差し込まれるとともに、第二梁部２１における複数の貫通孔２１ｄと、フィン部２３（フィン２３ｂ）における複数の貫通孔２３ｃに通貫するように差し込まれる。
また、ドリフトピン２７が差し込まれる各貫通孔２０ｄ，２１ｄ，２３ｃの位置が上記のように一致していれば、ドリフトピン２７が差し込まれたときに、ベース部２４における双方の傾斜板２４ｂが、第一梁部２０の下面及び第二梁部２１の下面に接することになる。そこで、続いては、留付材２６が、傾斜板２４ｂにおける複数の貫通孔２４ｃに差し込まれるとともに、第一梁部２０の下面及び第二梁部２１の下面にねじ込まれる。
これにより、接合金物２２によって第一梁部２０と第二梁部２１とを接合することができる。
【００４２】
本実施形態における第二梁部２１は、水平に配置されているが、これに限られるものではなく、図９に示すように、水平以外の角度で配置されてもよい。
図９（ａ）に示す第一ベント梁１０は、第二梁部２１が、第一梁部２０に対し、水平よりも下方に位置するように鋭角に屈曲している。
図９（ｂ）に示す第一ベント梁１０は、第二梁部２１が、第一梁部２０に対し、水平よりも上方に位置するように鈍角に屈曲している。
また、水平な第二梁部２１に対する第一梁部２０の角度も、図１０（ａ），（ｂ）に示すように、適宜変更可能とされている。図１０において一点鎖線で示す第一ベント梁１０は、図１〜図３で示した第一ベント梁１０のシルエットを表しているものとする。
なお、第二梁部２１の角度は水平に限られるものではなく、第一梁部２０の角度も適宜変更してもよい。つまり、第一ベント梁１０は、屈曲部１０ａが形成されるように第一梁部２０と第二梁部２１とが配置され、これら第一梁部２０と第二梁部２１とが接合金物２２によって接合されていれば、第一梁部２０の角度も第二梁部２１の角度も適宜変更可能である。これにより、様々な勾配の屋根に対応することができる。
【００４３】
このように第一梁部２０に対する第二梁部２１の角度が変更される場合、第二梁部２１に対する第一梁部２０の角度が変更される場合は、接合金物２２も異なる形状のものが用いられる。
すなわち、ベース部２４において、上板部２４ａに対する双方の傾斜板２４ｂが、第一梁部２０に対する第二梁部２１の角度に応じて異なる。
また、フィン部２３においても、底板２３ａの長手寸法や、底板２３ａの長手寸法に沿う双方のフィン２３ｂの幅寸法、双方のフィン２３ｂにおける上方への突出寸法が、第一梁部２０に対する第二梁部２１の角度に応じて異なるものとする。
そして、第一梁部２０の一端部に形成されたドリフトピン２７用の複数の貫通孔２０ｄと、第二梁部２１の一端部に形成されたドリフトピン２７用の複数の貫通孔２１ｄと、フィン部２３における双方のフィン２３ｂに形成されたドリフトピン２７用の複数の貫通孔２３ｃの位置は、それぞれ一致し、ドリフトピン２７を通せるようになっているものとする。さらに、第一梁部２０の一端部に形成された直交梁１６用の複数の貫通孔２０ｅと、フィン部２３における双方のフィン２３ｂに形成された直交梁１６用の複数の貫通孔２３ｄの位置も、それぞれ一致し、ネジ等の固定具を通せるようになっているものとする。
【００４４】
第一梁部２０における第一溝２０ｃと、第二梁部２１における第二溝２１ｃの形成は、図１１に示すように、丸鋸３０によって行われる。丸鋸３０は、例えば市販品では、切り込み深さが最大でも１５０〜１６０ｍｍ程度、通常は２０〜６５ｍｍ程度に設定されていることが多く、従来のように溝（第一溝２０ｃ、第二溝２１ｃ）の深さを深くするためには、例えば電動のこぎりやチェーンソー等を用いて別途作業にて加工を行う必要があったが、本実施形態における第一溝２０ｃ及び第二溝２１ｃの深さは、市販品の丸鋸３０でも形成可能な深さに設定されているものとする。その分、フィン部２３における双方のフィン２３ｂの幅寸法を抑えることができるので好ましい。
【００４５】
図１１に示す例は、他端面２１ｂが鉛直面とされた第二梁部２１に第二溝２１ｃを形成する場合を表しており、一端面２１ａは予め斜めにカットされている。
このような第二梁部２１の一端部に第二溝２１ｃを形成する際は、丸鋸３０の回転軸３１を、斜めにカットされた一端面２１ａに沿わせるようにしながら、回転する丸鋸３０を、第二梁部２１の上面から下面（又は下面から上面）に向かって移動させるだけで第二溝２１ｃを形成することができる。第一梁部２０の一端部に第一溝２０ｃを形成する場合も同様の方法で行われる。
【００４６】
第二ベント梁１１は、屈曲部１１ａを有しており、第一梁部２０と第二梁部２１とが、接合金物２２（及び留付材２６、ドリフトピン２７）によって接合されることによって構成されている。すなわち、第二ベント梁１１は、第一梁部２０と第二梁部２１の長さが、第一ベント梁１０における第一梁部２０と第二梁部２１の長さと異なるだけで、その他の構成は第一ベント梁１０と同様であるので、同一部分には同一符号を付してその説明を省略する。
なお、第二ベント梁１１における直交梁１６用の複数の貫通孔２０ｅは、第一ベント梁１０の場合とは異なり、屈曲部１０ａではなく、第一梁部２０の長さ方向中央部に形成されているものとする。
【００４７】
なお、本実施形態においては、建物躯体１上に形成された小屋組構造が寄棟屋根用とされているが、これに限られるものではない。すなわち、ベント梁１０，１１における第一梁部２０及び第二梁部２１の長さや角度、配置によって、例えば、入母屋屋根、切妻屋根、マンサード屋根、招き屋根、母屋下がり構造等、様々な小屋組構造を形成することが可能となる。
また、第一ベント梁１０、第二ベント梁１１が小屋組構造に組み込まれることで、通常の小屋組構造よりも使用する木材の量を低減できる利点がある。
【００４８】
本実施の形態によれば、第一溝２０ｃと第二溝２１ｃに跨って差し込まれるフィン部２３が、屈曲部１０ａの入隅側において第一梁部２０と第二梁部２１に跨って配置されるベース部２４における上板部２４ａに固定されており、ベース部２４における双方の傾斜板２４ｂは、第一梁部２０の表面と第二梁部２１の表面のそれぞれに固定されているので、フィン部２３における上板部２４ａの長さ方向に沿う方向の幅寸法を、少なくとも、ベース部２４における上板部２４ａの長さ寸法の範囲内に収めることができる。すなわち、フィン部２３の幅寸法を、ベース部２４における上板部２４ａの長さ寸法よりも長くならないように抑えることができる。これにより、第一梁部２０における第一溝２０ｃと、第二梁部２１における第二溝２１ｃの深さ寸法を抑えることができるので、切り込み深さの深い丸鋸を用意したり、手作業で加工したりする必要がなく、手間やコストを軽減できる。
さらに、ビード２８は、第一梁部２０及び第二梁部２１に干渉しない位置に設けられているので、フィン部２３を第一溝２０ｃ及び第二溝２１ｃに差し込んだときや、ベース部２４における双方の傾斜板２４ｂを第一梁部２０の表面と第二梁部２１の表面のそれぞれに固定するときの障害とならない。すなわち、接合金物２２を、第一梁部２０と第二梁部２１とを接合するための位置に正確に配置することができるので、フィン部２３を第一梁部２０及び第二梁部２１に対して確実に結合でき、ベース部２４を屈曲部１０ａ，１１ａの入隅側に配置して第一梁部２０と第二梁部２１に確実に固定することができる。これにより、フィン部２３の幅寸法が短く設定されていても、第一梁部２０と第二梁部２１とを接合するときの十分な接合強度を確保することができる。
【００４９】
また、ビード２８は、双方の傾斜板２４ｂにおける第一梁部２０側の面及び第二梁部２１側の面の延長線上に配置されていないので、接合金物２２を、第一梁部２０と第二梁部２１とを接合するための位置に配置したときに、ビード２８が、第一梁部２０及び第二梁部２１に干渉しない状態となる。そのため、接合金物２２を、第一梁部２０と第二梁部２１とを接合するための位置に正確に配置することが可能となる。
【００５０】
また、フィン部２３における上板部２４ａの長さ方向に沿う方向の幅寸法は、ベース部２４における上板部２４ａの長さ寸法よりも短く設定されているので、フィン部２３の幅寸法をより確実に抑えることができる。これにより、第一梁部２０における第一溝２０ｃと、第二梁部２１における第二溝２１ｃの深さ寸法を抑えることができるので、切り込み深さの深い丸鋸を用意したり、手作業で加工したりする必要がなく、手間やコストを軽減できる。
【００５１】
また、接合金物２２は、双方の傾斜板２４ｂに架け渡されて溶接固定されたスチフナ部２５を有するので、接合金物２２の剛性を向上できる。これにより、ベント梁１０，１１自体の剛性も向上させることができる。
さらに、本実施形態においては、スチフナ部２５の上端面２５ａが、ベース部２４の上板部２４ａの下面に溶接固定されているので、接合金物２２の剛性をより一層向上させることができる。
【００５２】
また、直交梁１６は、当該直交梁１６の長さ方向側端面がベント梁１０における屈曲部１０ａに接するように配置され、貫通孔２０ｅ，２３ｄに通された固定具によってベント梁１０に固定されているので、接合金物２２の入った位置である屈曲部１０ａに対して直交梁１６を設けることができる。これにより、ベント梁１０，１１が組み込まれた屋根の小屋組構造を、ベント梁１０に直交する直交梁１６を含んだ強固な造りにすることができる。
【００５３】
〔変形例〕
なお、本発明を適用可能な実施形態は、上述した実施形態に限定されることなく、本発明の趣旨を逸脱しない範囲で適宜変更可能である。以下、変形例について説明する。以下に挙げる変形例は可能な限り組み合わせてもよい。
また、以下の各変形例において、上記の実施形態と共通する要素については、共通の符号を付し、説明を省略又は簡略化する。
【００５４】
〔変形例１〕
本変形例におけるフィン部２３Ａは、図１２に示すように、上記の実施形態とは異なり、底板がなく、一枚のフィンによって構成されている。フィン部２３Ａは、ベース部２４の上板部２４ａ上面に垂直に立てて設けられて溶接固定されている。
このようにフィン部２３Ａが一枚のフィンによって構成されていると、部材のコンパクト化によるコストの軽減や、第一溝２０ｃ及び第二溝２１ｃの加工手間も軽減できるので好ましい。
【００５５】
〔変形例２〕
図１３に示すように、本変形例におけるフィン部２３Ｂとスチフナ部２５Ｂは一体形成されている。すなわち、板状のフィン部２３Ｂの下端部と、スチフナ部２５Ｂにおける上端面とが一体形成されている。
【００５６】
そして、ベース部２４における上板部２４ａには、フィン部２３Ｂを通すためのスリット２４ｄが形成されている。スリット２４ｄは、上板部２４ａの長さ方向に沿って長尺に形成されているが、双方の傾斜板２４ｂには到達しない長さに設定されている。すなわち、フィン部２３Ｂの幅寸法に対応する長さに設定されている。
【００５７】
本変形例によれば、ベース部２４Ｂにおける上板部２４ａに、スチフナ部２５Ｂと一体形成されたフィン部２３Ｂを通すためのスリット２４ｄが形成されているので、フィン部２３Ｂをスリット２４ｄに通すことで、スチフナ部２５Ｂを、双方の傾斜板２４ｂ間に架け渡すようにして設けることができる。これにより、接合金物２２を容易に製造することができる。
【００５８】
〔変形例３〕
本変形例におけるフィン部２３Ｃは、図１４に示すように、上端面が、第一梁部２０の上面と、第二梁部２１の上面と面一となるように形成されている。フィン部２３Ｃの上端面は、第一梁部２０の上面と面一になる下側の上端面２３ｅと、第二梁部２１の上面と面一になる上側の上端面２３ｆと、からなる。このようにフィン部２３Ｃの上端面２３ｅ，２３ｆが、第一梁部２０の上面と第二梁部２１の上面と面一になれば、見栄えが良くなるだけでなく、貫通孔２３ｃ，２３ｄが形成される範囲（面積）を広くすることができる。
なお、フィン部２３Ｃを構成するフィンは、一枚でもよいし、二枚でもよい。二枚の場合は、底板２３ａを有するものとする。
【符号の説明】
【００５９】
１  建物躯体
３ａ  短辺方向の敷桁
３ｂ  長辺方向の敷桁
３ｃ  火打ち
４ａ  第一束
４ｂ  第二束
５  つなぎ梁
１０  第一ベント梁
１０ａ  屈曲部
１１  第二ベント梁
１１ａ  屈曲部
１６  直交梁
２０  第一梁部
２０ａ  一端面
２０ｃ  第一溝
２０ｄ  貫通孔
２０ｅ  貫通孔
２１  第二梁部
２１ａ  一端面
２１ｃ  第二溝
２１ｄ  貫通孔
２２  接合金物
２３  フィン部
２３ａ  底板
２３ｂ  フィン
２３ｃ  貫通孔
２３ｄ  貫通孔
２４  ベース部
２４ａ  上板部
２４ｂ  傾斜板
２４ｃ  貫通孔
２５  スチフナ部
２５ａ  上端面
２５ｂ  傾斜端面
２６  留付材
２７  ドリフトピン
２８  ビード
３０  丸鋸
【図１】
2020111932.tif 000003
【図２】
2020111932.tif 000004
【図３】
2020111932.tif 000005
【図４】
2020111932.tif 000006
【図５】
2020111932.tif 000007
【図６】
2020111932.tif 000008
【図７】
2020111932.tif 000009
【図８】
2020111932.tif 000010
【図９】
2020111932.tif 000011
【図１０】
2020111932.tif 000012
【図１１】
2020111932.tif 000013
【図１２】
2020111932.tif 000014
【図１３】
2020111932.tif 000015
【図１４】
2020111932.tif 000016